(57)【要約】【課題】立体的な形状の泡を吐出することができ、泡を手のひらに移すときに形状がくずれにくい泡吐出用のノズル、吐出部材およびエアゾール製品を提供する。【解決手段】筒状の形態を備え、閉じている先端よりいくらか下側が、側面に吐出口が開口しているラグビーボール状の吐出部２６とされ、吐出部２６の下方に、下端が開放された装着部２７が設けられており、前記吐出口が、一対の側壁を有し、略軸方向に開口しており、少なくとも前記吐出部２６の一部が押しつぶし可能な材料からなる泡吐出用のノズル２３。このノズル２３と略円板状の押し片２５を有する吐出部材２３。発泡性内容物を充填したエアゾール容器１１と、エアゾールバルブの開閉を操作する操作部２２と、前述の泡吐出用のノズル２３とからなるエアゾール製品１０。【選択図】図１
2019098289.tif 000002
【特許請求の範囲】
【請求項１】
筒状の形態を備え、
先端が閉じ、
先端よりいくらか下側が、側面に吐出口が開口している吐出部とされ、
吐出部の下方に、下端が開放された装着部が設けられており、
前記吐出口が、左右一対の側壁を有し、略軸方向に延びるように開口しており、
少なくとも前記吐出部の一部が押しつぶし可能な材料からなる泡吐出用のノズル。
【請求項２】
前記吐出部が装着部より太い請求項１記載の泡吐出用のノズル。
【請求項３】
前記吐出部が略ラグビーボール状で、縦向きに配置されている請求項２記載の泡吐出用のノズル。
【請求項４】
前記吐出口が斜め軸方向に延びるように開口している請求項１記載の泡吐出用のノズル。
【請求項５】
エアゾール製品のエアゾールバルブに取り付けられる筒体と、その筒体に設けられる操作片と、前記筒体の上端に設けられる請求項１〜４のいずれかに記載のノズルとからなる泡吐出用の吐出部材。
【請求項６】
前記操作片が筒体の周囲を囲む円板状である請求項５記載の吐出部材。
【請求項７】
発泡性内容物を充填した容器本体と、その容器本体の開口部に設けられるエアゾールバルブと、そのエアゾールバルブの開閉を操作する操作部と、その操作部に取り付けられ、前記エアゾールバルブのステムと連通する請求項１〜４のいずれかに記載の泡吐出用のノズルとからなるエアゾール製品。
【請求項８】
前記操作部が前記エアゾールバルブのステムを押し下げるための横向きに突出する操作片を備えている請求項７記載のエアゾール製品。
【発明の詳細な説明】
【技術分野】
【０００１】
本発明は泡吐出用のノズル、吐出部材およびそれを用いたエアゾール製品に関する。
【背景技術】
【０００２】
特許文献１には、複数の成形孔が開口する造形面を有し、複数の成形孔を通過して成形された複数の造形片を、造形面上で組み合わせて造形物を形成する造形ヘッドが開示されている。なお、特許文献１では、造形ヘッドから吐出された泡によって八重咲きの花（バラ）を造形することが例示されている。
【０００３】
特許文献２には、中心に通路を有する円柱状のノズルと、ノズルの周囲に被せられる筒状の先端部を備えた弾力性を有する操作部材とからなる噴射部材が開示されている。噴射部材の先端には、内圧が加わると広がる切り込みが形成されている。この噴射部材はティルト式のエアゾールバルブのステムに装着され、ノズルを傾けるとノズルと操作部材の間に入り込む内容物によって操作部材が弾力的に広がり、切り込みも広がる。そして噴射を止めると噴射部材がノズルに密着するように戻ると共に切り込みも元の状態に戻る。そのため、噴射後に内容物の液がノズルから垂れるアフタードローが生じない。
【０００４】
特許文献３には、使用者が手の指の背で操作部を押し下げ、ノズルから流出する液状内容物を受け止める片手用ディスペンサが記載されている。この片手用ディスペンサは、ヘッドを親指で、操作部を他の指の背で押し下げることにより、シャンプーなどの液状内容物を吐出し、操作した手で液状内容物を受け止めることができる。
【先行技術文献】
【特許文献】
【０００５】
【特許文献１】特開２０１６−１０９１９号公報
【特許文献２】特開２００８−２４３６５号公報
【特許文献３】実用新案登録公報第３１２４９７４号
【発明の概要】
【発明が解決しようとする課題】
【０００６】
特許文献１の造形ヘッドは、平坦な造形面の上に立体的な泡の造形物を形成することができるが、使用者が手のひらなどに移すときは、造形面の泡を手のひらですくいとるので、形状がほとんどくずれてしまう。そのため、それ以後は造形物を楽しむことができない。また、造形ヘッドの内部の拡散室などに泡が残り、不衛生になりがちである。
【０００７】
特許文献２の噴射部材は、ステムに装着されるノズルを覆い、弾力性を有する操作部材を備えており、その先端部の上部が球状に突出している。この噴射部材は、球状部分が吐出操作時に潰され、吐出後に弾力性により元の形状に戻ろうとするので、吐出後にノズル内に残った内容物をその空間に導き、アフタードローを防止することができる。しかしこのものは泡を吐出するものではなく、泡の造形もできない。特許文献３のディスペンサは、液状内容物を流し出すもので、泡の造形はできない。
【０００８】
そこで本発明は、立体的な形状を形成するように泡を吐出することができ、しかも手のひらなどに移すときに形状がくずれにくく、ノズル内部の泡残りを少なくし得る泡吐出用のノズルおよびエアゾール製品を提供することを技術課題とする。
【課題を解決するための手段】
【０００９】
本発明の泡吐出用のノズル２３、３０は、筒状の形態を備え、先端が閉じ、先端よりいくらか下側が、側面に吐出口２８、３１が開口している吐出部２６とされ、吐出部の下方に、下端が開放された装着部２７が設けられており、前記吐出口２８、３１が、左右一対の側壁を有し、略軸方向に延びるように開口しており、少なくとも前記吐出部２６の一部が押しつぶし可能な材料からなることを特徴としている。ここでいう側壁は、上下に延びる吐出口の左右の内面（厚みに対応する範囲）を意味する。このようなノズル２３、３０においては、前記吐出部２６が装着部２７より太いものが好ましい。さらに前記吐出部２６が略ラグビーボール状で、縦向きに配置されているものが好ましい。前記吐出口３１が、斜め軸方向に延びるように開口しているものが好ましい。
【００１０】
本発明の泡吐出用の吐出部材１３、３２は、エアゾール製品１０のエアゾールバルブ１５に取り付けられる筒体２２ａと、その筒体に設けられる操作片２５と、前記筒体２２ａの上端に設けられる前記いずれかのノズル２３、３０とからなることを特徴としている。前記操作片２５は筒体２２ａの周囲を囲む円板状であるものが好ましい。
【００１１】
本発明のエアゾール製品１０は、発泡性内容物を充填した容器本体１４と、その容器本体の開口部に設けられるエアゾールバルブ１５と、そのエアゾールバルブの開閉を操作する操作部２２と、その操作部に取り付けられ、前記エアゾールバルブ１５のステム２１と連通する前記いずれかの泡吐出用のノズル２３、３０とからなることを特徴としている。このようなエアゾール製品１０においては、前記操作部２２がエアゾールバルブ１５のステム２１を押し下げるための横向きに突出する操作片２５を備えているものが好ましい。
【発明の効果】
【００１２】
本発明の泡吐出用のノズルは、発泡性内容物を充填したエアゾール製品のエアゾールバルブに取り付けて用いる。エアゾールバルブを開くとノズルの内部に泡状態の内容物が充満し、上端が閉じているため側面の吐出口から泡が吐出される。このとき、吐出口が、左右一対の側壁を有し、略軸方向に延びるように開口しているため、泡は一対の側壁により吐出方向や形状が制御され、また吐出口の上端で上方への移動が抑制され、後から吐出された泡が先の泡の下に一部あるいは全体が重なり、それらがノズルの側面で次々に重なって、あたかもカーネーションなどの花の形状を呈する立体的な造形が得られる。その後、使用者はノズルに沿って泡体をすくい上げることにより、花の形状を壊さないまま泡体を手のひらに移すことができる。
【００１３】
またノズルが押しつぶし可能な材料からなるので、指でノズルをしごいていくことにより、ノズル内の泡を絞り出すことができる。そのため、ノズル内に泡がほとんど残らず、衛生的である。ノズルが弾性材料からなる場合は、泡を絞り出した後は、弾力性によりノズルは元の形状に復帰するが、そのとき、吐出口の周辺に残っている泡がノズル内に吸引される。そのため、ノズル表面に泡や液が垂れず、周囲を汚さない。弾性材料でない場合は、ノズルは次の吐出のときに吐出の圧力で元の形状に戻る。
【００１４】
前記吐出部が装着部より太い場合は、吐出部が大きく変形できる。そのため、吐出部の吐出口から一層充分に泡を絞り出すことができる。また、ノズルに付着した泡をすくい取る行為がそのまま吐出部をつぶし変形させる行為となる。前記吐出部が略ラグビーボール状の場合は、装着部まで泡が流れていても、スムーズにすくい上げることができる。また、押しつぶし可能な材料により成形したラグビーボール状のノズルに、上下方向に切れ目を入れるなど、後加工で吐出口を形成しやすい。前記吐出口が斜め軸方向に延びるように開口している場合は、泡は一対の側壁によりノズルの周囲を旋回するように吐出され、泡はソフトクリームのような形状になってノズルに付着する。
【００１５】
本発明の吐出部材は、前述のノズルを備えているので、泡を受ける手を上向きにし、指で筒体を挟むように配置した後、その指の背または他方の手で操作片を押し下げることにより、泡を吐出することができ、吐出された泡を形状を壊さずに手のひらに移すことができる。前記操作片が筒体を囲む円板状であれば、指の背で操作片を押し下げる操作がしやすく、バルブを操作して泡を吐出した後、そのままノズルの周囲に吐出された泡をすくいとることができる。
【００１６】
本発明のエアゾール製品は、前述の泡吐出用のノズルを備えているので、立体的な泡の造形物を形をくずさずにすくいとることができる。また、ノズル内の泡を充分に絞り出すことができるので、衛生的である。前記操作部がエアゾールバルブのステムを押し下げるための横向きに突出する操作片を備えている場合は、ノズルに触れずにバルブの開閉操作ができるので、立体的な泡の造形物をこわさずに操作できる。さらに手の甲や指の背面で操作片を押し下げ、そのまま上に持ち上げることで、ノズルの周囲の泡をすくいとることができる。前記操作片が、平面視でステムを囲むように半径方向外向きに広がっている場合は、指の間にノズルを挟み、複数の指で操作片を押せるので、操作が一層容易である。
【図面の簡単な説明】
【００１７】
【図１】本発明のエアゾール製品の一実施形態を示す要部正面図である。
【図２】図２Ａおよび図２Ｂはそれぞれ図１における吐出部材の一部断面平面図および一部断面正面図である。
【図３】図１のエアゾール製品の使用方法を示す正面図である。
【図４】図３に続く使用方法を示す正面図である。
【図５】図４に続く使用方法の正面図である。
【図６】本発明のノズルの他の実施形態を示す正面図である。
【図７】図７Ａは本発明の吐出部材の他の実施形態を示す断面図、図７Ｂはその吐出部材の平面図、図７Ｃはその吐出部材のノズルと軸部の斜視図である。
【図８】図８Ａは本発明のノズルのさらに他の実施形態を示す正面図、図８Ｂはそのノズルの断面図、図８Ｃはそのノズルの平面図である。
【発明を実施するための形態】
【００１８】
図１に示すエアゾール製品１０は、発泡性内容物を充填したエアゾール容器１１と、そのエアゾール容器１１の上端に装着される肩カバー１２と、吐出部材１３とからなる。エアゾール容器１１は、有底筒状の容器本体１４と、容器本体１４の上端開口に固着されるエアゾールバルブ１５とからなる。容器本体１４は金属製または合成樹脂製であり、肩部１６にはオーバーキャップ１７を着脱自在に装着するための段部１８が形成されている。段部１８の縦壁１８ａの下部には、オーバーキャップ１７を係止するための係止溝１８ｂが設けられている。
【００１９】
エアゾールバルブ１５は、バルブハウジング１９と、そのバルブハウジングを容器本体１４の開口に固着するためのマウンティングキャップ２０と、バルブハウジングに上下移動自在に挿入され、押し下げ操作によって内容物を吐出するステム２１と、そのステムを上向きに付勢するバネと、ステムのステム孔をシールするステムラバーと、マウンティングキャップと容器本体の間をシールするガスケットなどを備えた公知のものである。
【００２０】
肩カバー１２は、容器本体１４のビード部１４ａに被せたマウンティングキャップ２０の周縁部２０ａに装着され、吐出部材１３を通す開口を有する有底筒状の部材である。肩カバー１２は合成樹脂などで形成される。肩カバー１２はエアゾールバルブ１５を隠して見栄えをよくするものであり、省略することもできる。肩カバー１２に吐出部材１３の上下動をガイドするガイド部を設けることもできる。肩カバー１２と吐出部材１３の下部をヒンジで連結することもできる。容器本体１４が合成樹脂製の場合は、肩カバーをネジで固定することもできる。
【００２１】
吐出部材１３は、図２Ｂに示すように、下方の操作部２２と、上方のノズル２３とからなる。図２Ａのノズル２３の右側は、図２ＢのＩＩａ−ＩＩａ線による断面を示し、図２Ｂの右側は図２ＡのＩＩｂ−ＩＩｂ線による断面を示す。図２Ｂに示すように、操作部２２は、内部に中心に沿って延びる通路２４を有する筒体２２ａを有し、筒体２２ａの外周には上下方向の途中に半径方向に広がる押し片２５が操作片として設けられている。さらに押し片２５の下部に、筒体２２ａを囲む円筒状の基部２５ｃを備えている。
【００２２】
押し片２５は薄肉円板状で、使用者の指Ｆの背とフィットしやすいように周方向に波打っている。波の山２５ａと谷２５ｂは、たとえば３〜５本程度、放射状に延びている。押し片２５は平坦な円板とすることもできる。通路２４の下端はステム２１と嵌合する嵌合穴として作用し、上端はノズル２３との嵌合部である。操作部２２はポリブチレンテレフタレートなどのポリエステル、ポリアセタールなどのポリカーボネート、ナイロンなどのポリアミドなどの硬質の合成樹脂の成形品を使用することができる。
【００２３】
図２Ｂに示すように、ノズル２３は全体的に上端が閉じた筒状を呈する。ノズル２３の上部は縦向きに配置されたラグビーボール状の吐出部２６であり、その内部に内容物の発泡を促し、泡を保持する空間Ｓが形成されている。ノズル２３の下部は円筒状の装着部２７である。装着部２７の内部には空間Ｓと連通する通路２７ａが形成され、その下端は開口している。装着部２７の下端外周は操作部２２の通路２４の上端に嵌合するように細くしている。そして吐出部２６の側面には内部の空間Ｓと外部を連通する吐出口２８が４本、周方向に等間隔で形成されている。なお、吐出口２８は複数本設けることが好ましく、たとえば２〜６本、好ましくは３〜５本、周方向にほぼ等間隔で形成することが好ましい。
【００２４】
吐出口２８は、縦長の紡錘状などとしており、吐出部の空間Ｓから表面にかけての断面（厚みに対応する面）が側壁２８ａ、２８ｂを構成し、吐出口２８は一対の側壁２８ａ、２８ｂで紡錘状にされ、軸方向に延びるように開口している。図２Ａでは、側壁２８ａ、２８ｂはノズル２３の中心を通る面に沿っており、半径方向外向きに開いている。また、この実施形態ではノズル２３全体がゴム、エラストマーなどの押しつぶし可能な弾性材料から成型されたものである。なお、指による押しつぶしが可能で、外力を除くと復帰するものであれば、ポリエチレン、ポリ乳酸などの合成樹脂で弾性を有するように成形してもよい。なお、吐出部２６だけ、あるいは吐出部の一部だけ弾性変形可能に構成してもよい。さらに押しつぶし可能な材料であれば弾性材料でなくてもよく、その場合は次の吐出のときに内圧で元の形状に戻る。また、操作部２２についても、操作および製造に支障がない範囲でノズル２３と同一の弾性材料から形成してもよい。弾性材料の場合も、弾性材料でない場合も、ノズル２３と操作部２２を一体に成型することができる。
【００２５】
発泡性内容物は、例えば、洗顔剤、洗浄剤、入浴剤、保湿剤、クレンジング剤、日焼け止め剤、化粧水、シェービング剤、脱毛剤、制汗剤、殺菌消毒剤、害虫忌避剤などのスキンケア剤、トリートメント剤、スタイリング剤、染毛剤などのヘアケア剤などの人体用品、ホイップクリームなどの食品、消臭剤、芳香剤、虫よけ剤、殺菌剤などの家庭用品などである。但し、これら用途に限られるわけではない。
【００２６】
この発泡性内容物は、前記用途の有効成分を含む原液と、原液を発泡・吐出させる噴射剤とからなり、噴射剤としては、例えばプロパン、ブタン、ペンタンなどの炭素数が３〜５の脂肪族炭化水素、ハイドロフルオロオレフィン、ジメチルエーテルなどの液化ガス、炭酸ガス、窒素などの圧縮ガスなどが挙げられる。なかでも、泡の成形性、保形性に優れ、泡を所望の形状にし易い点から、脂肪酸石鹸などの界面活性剤や、高級アルコール、高級脂肪酸などの固形油分などを原液中に含有したものを用い、さらに噴射剤として液化ガスを用いることが好ましい。
【００２７】
つぎに図１、図３〜図５を参照して上記のように構成されるエアゾール製品１０の使用方法を説明する。エアゾール製品１０はテーブルなどの上に載置しておく。使用者は手のひらを上に向け、たとえば中指と薬指の間に操作部２２の筒体２２ａやノズル２３を挟むようにして指Ｆの背と手の甲を押し片２５に押し当て（図１参照）、さらに図３に示すように押し下げる。それによりステム２１が押し下げられ、エアゾールバルブ１５が開き、発泡性内容物がステム２１の上端から吐出される。さらに内容物は発泡しながら通路２４、２７ａを通って上昇し、空間Ｓに入る。内容物はステム２１から出たときに発泡するか、あるいは大気圧である空間Ｓ内で発泡する。
【００２８】
空間Ｓ内の泡Ｆｏは、さらに図３に示すように、それぞれの吐出口２８から吐出される。このとき最初に吐出された泡は吐出口２８の上端で上方への移動が抑制され、新たに出て来る泡が先に出ていた泡の下に重なり、カーネーションなどの花のような立体的な泡体Ａｗが吐出部２６を中心にして４方向に形成される。所望する量が吐出されると、使用者は押し片２５を押すのをやめればよい。それによりエアゾールバルブ１５が閉じ、泡が出なくなる。
【００２９】
ついで使用者は図４に示すように手のひらを上昇させ、泡体Ａｗを手のひらですくいとる。そのとき、装着部２７より径が大きい吐出部２６は、指の進行に合わせて圧縮される。そのため、使用者は指で吐出部２６をしごき挙げることにより、泡体の手のひらへの移動をさせながら吐出部２６の内部の空間Ｓに残っている泡を絞り出すことができる。そのため、ノズル２３内には泡がほとんど残らず、衛生的である。
【００３０】
使用者の指Ｆがノズル２３を離れたときは、図５に示すように泡体Ａｗはほぼ全量が手のひらに移っている。そして吐出部２６は弾力によって元のラグビーボール状に戻る。そのとき、通路２４、２７ａ内に残っている少量の泡Ｆｏは、吐出部２６内に吸引され、使用後もしばらく泡が吐出されるアフタードローが抑制される。そのため、見栄えがよい。
【００３１】
上記のように図１のエアゾール製品１０は、立体的な泡体Ａｗをノズルの周囲に形成することができる。しかも形を崩さずに手のひらに移すことができると共に、ノズル内部の泡残りが少なくアフタードローが生じにくい利点がある。
【００３２】
つぎに図６を参照して本発明のノズルの他の実施形態を説明する。図６のノズル３０は、吐出部２６に形成する吐出口３１を斜め向きにカットしている。そのため、吐出口３１を形成する一対の側壁３１ａ、３１ｂは斜め軸方向に延びており、吐出口３１から出てくる泡は、ノズル３０の周囲を旋回するように吐出され、ソフトクレームのような立体的な渦状の泡体が得られる。そして使用者は、渦巻きながら吐出される様子を眺めて楽しむことができる。なお、吐出口３１の傾きや幅の大きさを揃えずに吐出口ごとに変化させてもよい。さらに傾きの方向が互い違いになるように変化させてもよい。
【００３３】
図７は、別の吐出部材３２を示している。先の吐出部材１３は、操作部２２の筒体２２ａと押し片２５とが一体となっていたが、この吐出部材３２は、図７Ａに示すように、ノズル３３を保持する軸部（筒体）３４と押し部（操作片）３５とが別体となっており、押し部３５はヒンジ３６を介して肩カバー３７に連結されている。肩カバー３７は、容器本体１４の係止溝１８ｂに装着されている。また、この肩カバー３７は、上方部が縮径することでなる段部３７ａを備えている。この段部３７ａはオーバーキャップ（図１の符号１７参照）を着脱可能に取り付けるためのものである。また、ノズル３３はラグビーボール状ではなく、上に向かって次第に拡径する逆円錐状を呈している。吐出口２８は上に向かって次第に広がる逆三角形の形状である。
【００３４】
図７Ａや図７Ｃに示すように、軸部３４の下端はステム装着部３４ａとなっているが、このステム装着部３４ａの上方に平面視略円形のフランジ部３４ｂが設けられている。また、フランジ部３４ｂの上面には、軸部３４の上端まで続くリブ３４ｃが２つ設けられている。リブ３４ｃ、３４ｃ同士は平面視、一直線上に並ぶようにして配置されている。これらのリブ３４ｃ、３４ｃは、ノズル３３と押し部３５との間に手を差し入れるにあたって、差し入れる方向を案内する方向案内部として機能する。すなわち、押圧面３５ａに手を載置しようとすれば、指と指の間にリブ３４ｃを位置させなければならないため、自ずと手の方向が決まるのである。
【００３５】
また、フランジ部３４ｂの上面には、平面視、リブ３４ｃと略平行に半円状のピン支点３４ｄが設けられている。このピン支点３４ｄは、ヒンジ３６を中心に回転することで加力方向が常に変化する押し部３５からの押圧力を、鉛直力（エアゾール容器１１に向かう力）に変換してステム２１に伝達するためのものである。
【００３６】
押し部３５の上面（ノズル３３側）に位置する押圧面３５ａは、図７Ｂに示すように、平面視略円形であるが、側面から見ると、図７Ａに示すように、ヒンジ３６側が最も高くそこから緩やかに下った形状をなしている。また、全体として大きな凹部３５ｂを形成しており、自然な状態で緩やかな凸面を形成する手の甲から指の背の形に沿うようになっている。押圧面３５ａの中心には、軸部３４を貫通させるための開口３５ｃが設けられている。この開口３５ｃはヒンジ３６に向かって延びた長円状とされている。また、開口３５ｃの内周面を下方に延長するようにして、軸部３４のピン支点３４ｄを押し込むための押し込み片３５ｄが設けられている。軸部３４は、一方のリブ３４ｃがヒンジ３６側に向き、他方のリブ３４ｃがヒンジ３６と反対側を向くようにして、開口３５ｃ内に配置されている。
【００３７】
上記構成の吐出部材３２では、手のひらを上（ノズル３３側）に向けた状態で、押圧面３５ａの低い側からノズル３３と押し部３５との間に手を差し入れ、指と指の間にリブ３４ｃや軸部３４を位置させるとともに、指の背や手の甲と押圧面３５ａとを当接させ、適宜、押し部３５を押し下げることにより、エアゾール容器１１から内容物を吐出させることができる。なお、この吐出部材３２では、主として手の甲で押圧面３５ａを押すことになるため、指の背で押す場合に比べて吐出操作が楽である。
【００３８】
なお、押圧面３５ａは、ヒンジ３６側が最も低くそこから緩やかに上がった形状にしてもよい。すなわち、図７Ａと逆の形状にしても良い。この場合、たとえば洗面台などに置いたエアゾール製品を立った状態で使用するなど、押圧面３５ａに対して高い位置から操作する際に、押圧面３５ａに沿って手を差し入れやすく、且つ、手の甲で吐出操作しやすい。
【００３９】
図８は、図１のノズル２３とは別のノズルを示したものである。このノズル４０は、上下に長い吐出口４１を構成する開口の左右の内縁が、通路内部の空間Ｓから吐出口４１を通じて外部へと吐出される吐出物の吐出方向を制御する一対の側壁４１ａ、４１ｂとされている。具体的には、ノズル４０が肉厚であって、吐出口４１の入り口（吐出口４１と空間Ｓとの境界）４１ｃから出口（吐出口４１とノズル４０の外面との境界）４１ｄまで続く一対の側壁４１ａ、４１ｂによって、吐出物である泡の吐出方向を制御できる程度の長さの制御通路が形成されている。例えば、制御通路の水平方向の長さＬ１は、吐出口４１の入り口４１ｃの水平方向の幅Ｗ１よりも長い。また、一対の側壁４１ａ、４１ｂは、空間Ｓから外部に向けて弧を描いていており、各弧が同方向に湾曲している。換言すれば、制御通路が湾曲している（図８Ｃ参照）。そしてノズル４０は上に向かって細くなっているので、図８Ｃの平面図から分かるように、ノズル４０を上から見たとき、制御通路の長さが下にいくほど長くなる。そのため、吐出口４１の出口４１ｄの位置は下にいくほど制御通路の湾曲に合わせて反時計方向にずれている。また、吐出口４１の出口４１ｄは上に向かって次第に狭くなっている。
【００４０】
上記構成のノズル４０の場合、泡が湾曲した制御通路を通って外部に吐出されるため、ノズル４０の軸回りに旋回しながら吐出される（図８Ｃの矢印参照）。同時に、噴射剤の勢いによって上向きにも進むため、先に吐出された泡の下方に後から吐出された泡が部分的に重なり合い、螺旋状（ソフトクリーム状）の泡が得られる。この螺旋状の泡は吐出される際には周囲に飛び散りにくく、また、ノズル４０の周囲に付着して垂れ落ちにくいため、手のひらですくい取りやすい。
【００４１】
なお、上記のノズル４０は、図８Ｂのように肉厚であるが、吐出口４１の部分では折り曲げやすいので、比較的容易に指で押しつぶすことができる。なお、根元部にあらかじめ部分的に薄くした折り目を形成してもよい。さらに軟質の押しつぶし可能な材料、たとえばポリエチレン、ポリプロピレン、エラストマー、合成ゴム、天然ゴムや合成樹脂の発泡体を用いてもよい。発泡体の場合は内面および外面に平滑なスキンを設けるのが好ましい。
【００４２】
以上に、この発明の代表的な実施形態について説明したが、この発明は上記実施形態に限定されるものではなく、この発明の範囲内で種々変更して実施することが可能である。例えば、図１〜図３に示す吐出部材では、押し片２５の上面（押圧面）のうねり（波の山２５ａや谷２５ｂ）が等間隔に設けられていたが、必ずしも等間隔に設ける必要は無く、不規則に設けてもよい。また、谷２５ｂの幅と山２５ｂの幅を同じにする必要もなく、谷２５ｂの幅を山２５ａの幅より大としたり、小としたりしてもよい。谷２５ｂの深さや山２５ａの高さについても、全て同じとする必要はなく、各々異ならせてもよい。また、指の背の形に沿った押圧面としてもよい。押し片に代えて、引き操作あるいは傾倒操作する操作片であってもよい。
【００４３】
また、図７Ａ〜Ｃに示す吐出部材３２の方向案内部としては、リブ３４ｃに限らず、板状や円柱状の突起であってもよい。また、窪みであってもよい。例えば、図７Ｂの一点鎖線で示すように、指の関節に位置する箇所に窪み３５ｅを設けておけば、手を差し込む方向をあらかじめ確認することができる。また、方向案内部は、図１〜図３に示す吐出部材１３の押し片３５に適用してもよい。この場合、理想的な角度で手を差し入れることができるようになる。さらに、方向案内部を軸部３４ではなく、ノズル１３、３０、３３や押し片２５や押し部３５に設けてもよい。また、図１では、エアゾール製品１０がオーバーキャップ１７や肩カバー１２を備えていたが、必ずしも設ける必要はない。
【００４４】
また、図１の実施形態ではノズル２３の全体をゴムなどで形成しているが、装着部２７を硬質の合成樹脂とし、ゴム、エラストマーあるいは軟質樹脂からなる吐出部２６と組み合わせてインサート成形してもよい。また、押し片２５として筒体２２ａを囲む円板状のものを採用しているが、１〜４か所程度、半径方向に突出する板片を採用することもできる。
【符号の説明】
【００４５】
１０  エアゾール製品
１１  エアゾール容器
１２  肩カバー
１３  吐出部材
１４  容器本体
１４ａ  ビード部
１５  エアゾールバルブ
１６  肩部
１７  オーバーキャップ
１８  段部
１８ａ  縦壁
１８ｂ  係止溝
１９  バルブハウジング
２０  マウンティングキャップ
２０ａ  周縁部
２１  ステム
２２  操作部
２２ａ  筒体
２３  ノズル
２４  通路
２５  押し片（操作片）
２５ａ  波の山
２５ｂ  波の谷
２５ｃ  基部
２６  吐出部
２７  装着部
２７ａ  通路
２８  吐出口
２８ａ、２８ｂ  側壁
３０  ノズル
３１  吐出口
３１ａ、３１ｂ  側壁
３２  吐出部材
３３  ノズル
３４  軸部
３４ａ  ステム装着部
３４ｂ  フランジ部
３４ｃ  リブ
３４ｄ  ピン支点
３５  押し部
３５ａ  押圧面
３５ｂ  凹部
３５ｃ  開口
３５ｄ  押し込み片
３５ｅ  窪み
３６  ヒンジ
３７  肩カバー
４０  ノズル
４１  吐出口
４１ａ、４１ｂ  側壁
４１ｃ  入り口
４１ｄ  出口
Ｌ１  制御通路の水平方向の長さ
Ｗ１  制御通路の水平方向の幅
【図１】
2019098289.tif 000003
【図２】
2019098289.tif 000004
【図３】
2019098289.tif 000005
【図４】
2019098289.tif 000006
【図５】
2019098289.tif 000007
【図６】
2019098289.tif 000008
【図７】
2019098289.tif 000009
【図８】
2019098289.tif 000010